(57)【要約】筐体（４０２）と、コネクタアーム（４０８）を備える取り付け具（４０７）とを備える携帯アナビゲーションデバイス（４０１）を備えるナビゲーションアセンブリ（４００）であって、筐体（４０２）はスピーカポート周辺（４０４）によって定義されるスピーカポート（４０５）を備え、コネクタアーム（４０８）はスピーカポートの少なくとも一部を覆うことなくスピーカポート周辺（４０４）の少なくとも一部の周りでナビゲーションデバイス（４０１）と接続されるように構成される。
2011512516.tif 000002
【特許請求の範囲】
【請求項１】
ナビゲーションアセンブリであって、
筐体を備える携帯ナビゲーションデバイスと、
コネクタアームを備える取り付け具と、を備え、
前記筐体はスピーカポート周辺部によって定義されるスピーカポートを備え、
前記コネクタアームは、前記スピーカポートの少なくとも一部を覆うことなく、前記スピーカポート周辺部の少なくとも一部の周りで、携帯ナビゲーションデバイスと接続されるように構成されることを特徴とするナビゲーションアセンブリ。
【請求項２】
前記スピーカポート周辺部は、周囲の前記筐体に対して傾いていることを特徴とする請求項１に記載のナビゲーションアセンブリ。
【請求項３】
前記コネクタアームは開口を定義し、前記開口は、前記コネクタアームが前記スピーカポート周辺部と接続された時に前記スピーカポートの少なくとも一部に横たわるように配置されることを特徴とする請求項１または２に記載のナビゲーションアセンブリ。
【請求項４】
前記スピーカポートは前記筐体に開口を備え、前記携帯ナビゲーションデバイスは前記スピーカポート内にスピーカを備えることを特徴とする請求項１乃至３の何れか１項に記載のナビゲーションアセンブリ。
【請求項５】
前記スピーカポートは、メッシュを定義する複数の開口を備え、前記携帯ナビゲーションデバイスは前記メッシュの後ろで前記筐体内にスピーカを備えることを特徴とする請求項１乃至３の何れか１項に記載のナビゲーションアセンブリ。
【請求項６】
前記取り付け具は、表面との接続のための取り付けアームをさらに備え、前記取り付けアームは、前記取り付け具が、前記取り付けアームに対して傾いた前記コネクタアームを有する開形態から、前記コネクタアームと隣接した前記取り付けアームを有する閉形態へ、折り畳まれるように、前記コネクタアームと枢動可能に接続されることを特徴とする請求項１乃至５の何れか１項に記載のナビゲーションアセンブリ。
【請求項７】
前記取り付けアームは、前記取り付け具が閉形態である時に、前記コネクタアームにおける開口に少なくとも部分的に受け入れられるように構成されることを特徴とする請求項３に従属する場合の請求項６に記載のナビゲーションアセンブリ。
【請求項８】
折り畳み可能な取り付け具であって、
携帯ナビゲーションデバイスとの接続のためのコネクタアームと、
前記取り付け具を表面と接続する取り付けアームと、を備え、
前記コネクタアームおよび前記取り付けアームは、前記取り付け具が前記取り付けアームに対して傾いた前記コネクタアームを有する開形態から前記コネクタアームと隣接した前記取り付けアームを有する閉形態へ折り畳まれるように、枢動可能に接続されることを特徴とする取り付け具。
【請求項９】
前記コネクタアームは開口を備え、前記取り付けアームは、前記取り付け具が閉形態である時に、前記開口に少なくとも部分的に受け入れられるように構成されることを特徴とする請求項８に記載の取り付け具。
【請求項１０】
ナビゲーションアセンブリであって、
請求項８または９に記載の折り畳み可能な取り付け具と、
筐体を備える携帯ナビゲーションデバイスと、を備え、
前記筐体はスピーカポート周辺部によって定義されるスピーカポートを備え、前記コネクタアームは前記スピーカポート周辺部の少なくとも一部と接続されるように構成されることを特徴とするナビゲーションアセンブリ。
【発明の詳細な説明】
【技術分野】
【０００１】
本発明は、ナビゲーションアセンブリに関する。特に、本発明は、取り付け具および携帯ナビゲーションデバイス、携帯ナビゲーションデバイスのスピーカ部の周辺部分と接続されている取り付け具のコネクタアームに関するが、これらに限定されない。本発明のさらなる側面では、折り畳み式取り付け具が提供される。特に、本発明は、共に枢動可能に接続され且つ開形態と閉形態との間で折り畳まれるように構成されたコネクタアームおよび取り付け具アームに関するが、これらに限定されない。本発明のさらなる側面では、そのような折り畳み式取り付け具を含むナビゲーションアセンブリが提供される。
【背景技術】
【０００２】
ＧＰＳ（グローバル・ポジショニング・システム）信号受信および処理機能を含む携帯ナビゲーションデバイス（ＰＮＤ）がよく知られており且つ車載のまたは他の乗り物ナビゲーションシステムとして広く用いられている。
【０００３】
一般論として、最新のＰＮＤは、プロセッサ、メモリ（揮発性および不揮発性の少なくとも１つ、一般に両方）、および前記メモリに格納されたマップデータを備える。プロセッサおよびメモリは協働してソフトウェアオペレーティングシステムが確立されてもよい実行環境を提供し、且つさらに１つ以上の追加のソフトウェアプログラムが、ＰＮＤの機能が制御させられ且つ様々な他の機能を提供するために提供されることが一般的である。
【０００４】
一般に、これらのデバイスは、ユーザがデバイスと情報をやり取りし且つデバイスを制御するのを許可する１つ以上の入力インタフェースと、これを用いて情報がユーザに伝達されてもよい１つ以上の出力インタフェースと、をさらに備える。出力インタフェースの説明に役立つ実例は、視覚ディスプレイおよび可聴出力のためのスピーカを含む。出力インタフェースの説明に役立つ実例は、オン／オフ操作またはデバイスの他の特徴を制御するための１つ以上の物理ボタンと（そのボタンは必ずしもデバイス上にある必要はないが、デバイスが乗り物に組み込まれているなら、ステアリング・ホイール上にあり得る）、ユーザのスピーチを検出するマイクロフォンとを備える。特に望ましい配置では、出力インタフェースは、ユーザがタッチによりデバイスを操作できる追加的な入力インタフェースを提供するタッチセンサディスプレイとして構成されてもよい。
【０００５】
このタイプのデバイスはしばしば、これにより電源および選択的にデータ信号がデバイスへ送信され且つデバイスから受信され得る１つ以上の物理コネクタインタフェースと、携帯通信および他の信号およびデータネットワーク、例えばＷｉ−Ｆｉ、Ｗｉ−Ｍａｘ ＧＳＭおよび同様の物、を介した通信を許可する選択的に１つ以上の無線送信機／受信機とを含むであろう。
【０００６】
このタイプのＰＮＤデバイスは、これにより所在地データを含む衛星ブロードキャスト信号が受信され得且つ次にデバイスの最新の所在地を決定するために処理され得るＧＰＳアンテナも含む。
【０００７】
ＰＮＤデバイスは、現在の角加速度および直線加速度と、ＧＰＳ信号から取得される所在地情報と併せて速度およびデバイスとそれが取り付けられる乗り物との相対移動と、を決定するために処理され得る信号を生成する電子ジャイロスコープおよび加速度計も含んでもよい。一般に、そのような特徴は最も共通に車載ナビゲーションシステムに備えられているが、そうするのが都合よければＰＮＤデバイスにも備えられてもよい。
【０００８】
そのようなＰＮＤの有用性は、主に第１の所在地（一般にスタートまたは現在の所在地）と第２の所在地（一般に目的地）との間のルートを決定するその機能に明らかにされる。これらの所在地は、広範な種々の方法の何れかによって、例えば、郵便番号、ストリートの名称、および番地、（有名な所在地、（スポーツグラウンドまたは室内プール等の）市営の所在地、または他の関心地点等の）前もって格納された「よく知られた」目的地および、お気に入りのまたは最近訪れた目的地によって、デバイスのユーザによって入力され得る。
【０００９】
一般に、ＰＮＤは、マップデータから出発地および目的地のアドレスの所在地の間での「最善の」または「最適の」ルートを計算するソフトウェアによって有効になる。「最善の」または「最適の」ルートは、予め定められた基準に基づいて決定され且つ必ずしも最速または最短のルートである必要はない。ドライバーをガイドするルートの選択は、非常に高機能あり得、選択されたルートは、現在の、予測される、および動的におよび／または無線で受信された交通情報および道路情報、道路速度の履歴情報、および道路選択を決定する要因に対するドライバー自身の好みを考慮してもよい（例えば、ドライバーは、ルートは高速道路または有料道路を含むべきではないことを明確にしてもよい）。
【００１０】
さらに、デバイスは継続して道路および交通の状態を監視してもよく、且つ旅の残りが変化された状態に起因してなされるルートの変更を申し出てもよくまたは選択してもよい。リアルタイム交通監視システムは、様々な技術（例えば、携帯電話データ交換、固定カメラ、ＧＰＳフリートトラッキング）に基づいて、交通渋滞を識別するために且つ情報を通知システムに提供するために使用されている。
【００１１】
このタイプのＰＮＤは、一般に乗り物のダッシュボードまたはフロントガラスに取り付けられてもよいが、乗り物ラジオのオンボード・コンピュータの一部として、または実際には乗り物それ自体の制御システムの一部として形成されてもよい。ナビゲーションデバイスは、ＰＤＡ（携帯情報端末）、メディアプレーヤ、携帯電話または同様のもの等の、携帯システムの一部であってもよく、且つこれらの場合、携帯システムの通常の機能は、ルート計算および計算されたルートに沿ったナビゲーションの両方を実行するためのソフトウェアのデバイスへのインストールによって拡張される。
【００１２】
ルートプランニング機能およびナビゲーション機能もまた適切なソフトウェアを動作するデスクトップまたはモバイル・コンピューティングリソースによって提供されてもよい。例えば、ロイアル・オートモービル・クラブ（ＲＡＣ）は、ｈｔｔｐ：／／ＷＷＷ.ｒａｃ.ｃｏ.ｕｋにおいてオンラインルートプランニングおよびナビゲーション設備を提供し、ユーザのＰＣが接続されたサーバがルートを計算し（ユーザ指定であってもよい側面）、マップを生成し、且つ選択された出発点から選択された目的地までユーザをガイドする一連の包括的ナビゲーション命令を生成するとすぐに、その設備はユーザが出発地点および目的地を入力するのを許可する。その設備は、計算されたルートの疑似三次元レンダリング機能、およびルートに沿ったユーザの旅をシミュレートし且つそれによりユーザに計算されたルートのプレビューを提供するルートプレビュー機能も提供する。
【００１３】
ＰＮＤでは、一度ルートが計算されると、ユーザは、提案されたルートのリストから選択的に所望の計算されたルートを選択するために、ナビゲーションデバイスと情報をやり取りする。選択的に、ユーザは、あるルート、道路、所在地、または基準が特定の旅に対して回避されるべきでありまたは必須であることを明確にすることによってルート選択プロセスに介入しまたはガイドする。ＰＮＤのルート計算の側面は、１つの主要な機能を形成し、且つそのようなルートに沿ったナビゲーションは別の主要な機能である。
【００１４】
計算されたルートに沿ったナビゲーションの間、そのようなＰＮＤが、選択されたルートに沿ってそのルートの終わり、すなわち、所望の目的地までユーザをガイドするための視覚および／または可聴命令を提供することが通常である。ＰＮＤは、ナビゲーションの間にスクリーンにマップ情報を表示することもまた通常であり、そのような情報は定期的にスクリーン上でアップデートされ、その結果、デバイスが車載ナビゲーションのために使用されるなら、表示されるマップ情報はデバイスの、従ってユーザのまたはユーザの乗り物の最新の所在地を表す。
【００１５】
スクリーンに表示されたアイコンは、一般に最新のデバイスの所在地を示し、現在のデバイスの所在地の近くにある現在のおよび周囲の道路のマップ情報と共に中央に置かれ、且つ他のマップ特徴もまた表示される。さらに、ナビゲーション情報が、表示されたマップ情報の上方、下方または一方の側のステータスバーに選択的に表示されてもよく、ナビゲーション情報の例はユーザによって取ることが要求される現在の道路からの次の逸脱までの距離を含み、その逸脱の性質は、逸脱の特定の種類、例えば左折または右折、を連想させるさらなるアイコンによって表される。ナビゲーション機能は、これによりユーザがルートに沿ってガイドされ得る可聴命令のコンテンツ、継続期間、およびタイミングも決定する。理解され得るように、「１００ｍで左折」等の単純な命令は十分な処理および解析を必要とする。先に述べたように、ユーザのデバイスとの情報のやり取りはタッチスクリーンによるものでもよく、さらにまたは代わりに音声起動によるまたは他の適切な方法による、遠隔制御を取り付けられたステアリング・コラムによるものでもよい。
【００１６】
デバイスによって提供されるさらに重要な機能は、ユーザがナビゲーション中に前もって計算されたルートから逸脱した場合、代替ルートが好都合であり且つデバイスがそのような状態を自動的に認識することが可能であることをリアルタイム交通状態が決定する場合、またはユーザが何らかの理由でデバイスにルートの再計算を実行させる場合の、自動ルート再計算である。
【００１７】
ユーザにより定義された基準を用いてルートが計算されることも既知である。例えば、ユーザは観光ルートがデバイスによって計算されるべきであると嗜好してもよく、または、交通渋滞が起こりそうな、予測される、または現在起こっているあらゆる道路を回避することを望んでもよい。デバイスソフトウェアは、その場合様々なルートを計算し且つそれらのルートに沿った、例えば景色が良いというレッテルを貼られた最多の（ＰＯＩとして知られる）関心地点を含むルートをより好ましく比較検討し、または、特定の道路の現在の交通状態を示す格納された情報を使用して、可能性のある渋滞の程度の観点で計算されたルートを順序付ける。他のＰＯＩに基づくおよび交通情報に基づくルート計算およびナビゲーション基準もまた可能である。
【００１８】
ルート計算およびナビゲーション機能はＰＮＤの全体のユーティリティに必須であるが、デバイスを情報表示のためだけに、すなわち現在のデバイスの所在地と関連するマップ情報のみが表示され且つデバイスによってルートが計算されておらず且つナビゲーションが現在実行されていない「フリードライビング」のためだけに使用することが可能である。ユーザが旅することを望み且つナビゲーション補助を必要としないルートを既に知っている時に、そのような操作モードはしばしば適用可能である。
【００１９】
上述のタイプのデバイス、例えばＴｏｍＴｏｍ Ｉｎｔｅｒｎａｔｉｏｎａｌ Ｂ．Ｖ．によって製造され且つ供給される７２０Ｔモデルは、ユーザがある位置から別の位置へナビゲートするのを可能にする信頼性のある手段を提供する。
【００２０】
目的地間でユーザが運転している時、それらの目的地はＰＮＤからの音声命令に主に依存する。音声命令を受信している時、ドライバーは道路ノイズ、エンジンノイズ、乗り物内での会話、ラジオ等を除去しなければならない。従来のＰＮＤデバイスは小さなスピーカを裏面に有する傾向がある。これは、裏面のかなりの部分が一般にＰＮＤを、順に車のフロントガラスまたはダッシュボードに固定されるアームに固定するために使用されるからである。小さなスピーカは音の大きさに欠ける傾向があり且つ音声出力を誤って伝える傾向があり、音声出力を聴くおよび／または理解することを困難にし得る。
【００２１】
本発明は、先行技術の問題を克服することを試みる。
【発明の概要】
【００２２】
本発明の第１の側面は、
筐体を備える携帯ナビゲーションデバイスと、前記筐体はスピーカポート周辺部によって定義されるスピーカポートを備え、
コネクタアームを備える取り付け具と、前記コネクタアームは前記スピーカポートの少なくとも一部を覆うことなく前記スピーカポート周辺部の少なくとも一部の周りで前記携帯ナビゲーションデバイスと接続されるように構成され、
を備えるナビゲーションアセンブリを提供する。
【００２３】
前記スピーカポートの前記周辺部は前記スピーカポートを定義し且つ前記取り付け具の接続ポイントとして作用する。これにより同じＰＮＤサイズに対してより大きなスピーカがＰＮＤに含まれることが可能になる。コネクタアームがスピーカポートの少なくとも一部を覆わないのでこれにより発せられた音声命令の誤った伝達が低減する。
【００２４】
望ましくは、前記スピーカポート周辺部は、周囲の筐体に対して傾いている。
【００２５】
望ましくは、コネクタアームは開口を定義し、前記開口は前記コネクタアームが前記スピーカポート周辺部と接続された時に前記スピーカポートの少なくとも一部に横たわるように配置される。
【００２６】
前記スピーカポートは前記筐体に開口を備え、前記携帯ナビゲーションデバイスは前記スピーカポート内にさらにスピーカを備える。
【００２７】
あるいは、前記スピーカポートはメッシュを定義する複数の開口を備え、前記携帯ナビゲーションデバイスは前記メッシュの後ろで前記筐体内にスピーカを備える。
【００２８】
望ましくは、前記取り付け具は、表面と接続するための取り付けアームをさらに備え、前記取り付けアームは、前記取り付け具が前記取り付けアームへ傾いた前記コネクタアームを有する開形態から、前記コネクタアームと隣接する前記取り付けアームを有する閉形態へ、折り畳まれ得るように前記コネクタアームと枢動可能に接続される。
【００２９】
前記取り付けアームは、前記取り付け具が閉形態である時に、前記コネクタアームで前記開口に少なくとも部分的に受け取られるように構成され得る。
【００３０】
本発明のさらなる側面では、
ナビゲーションデバイスと接続されるコネクタアームと、
前記取り付け具を表面へ接続する取り付けアームと、を備える折り畳み可能な取り付け具が提供され、
前記コネクタアームおよび前記取り付けアームは、前記取り付け具が前記取り付けアームへ傾いた前記コネクタアームを有する開形態から、前記コネクタアームと隣接する前記取り付けアームを有する閉形態へ、折り畳まれ得るように共に枢動可能に接続される。
【００３１】
望ましくは、前記接続アームは開口を備え、前記取り付けアームは、前記取り付け具が閉形態である時に、前記開口に少なくとも部分的に受け取られるように構成される。
【００３２】
本発明のさらなる側面では、
請求項８または９の何れかで主張されるような折り畳み可能な取り付け具と、
筐体を備える携帯ナビゲーションデバイスと、を備えるナビゲーションアセンブリが提供され、
前記筐体は、スピーカポート周辺部によって定義されるスピーカポートを備え、前記コネクタアームは、前記スピーカポート周辺部の少なくとも一部と接続されるように構成される。
【図面の簡単な説明】
【００３３】
本発明は、限定的な意味ではなく添付の図面を参照して、ほんの一例として説明されるだろう。
【図１】図１は、概略形式で、グローバル・ポジショニング・システム（ＧＰＳ）を示す。
【図２】図２は、概略形式で、既知の携帯ナビゲーションデバイス（ＰＮＤ）を示す。
【図３】図３は、概略形式で、さらなる携帯ナビゲーションデバイスが無線通信チャネルを介して情報を受信してもよい方法を示す。
【図４】図４は、本発明に従ったナビゲーションアセンブリを分解図で示す。
【図５】図５は、取り付け具を有する本発明に従ったナビゲーションアセンブリを開形態で示す。
【図６】図６は、取り付け具を有する図５のナビゲーションアセンブリを閉形態で示す。
【発明を実施するための形態】
【００３４】
本発明の望ましい実施形態は、ＰＮＤを特に参照して説明されるだろう。しかしながら、本発明の教示は説明されるＰＮＤに限定されず、むしろルートプランニングおよびナビゲーション機能を提供するためのナビゲーションソフトウェアを実行するように構成されるあらゆる種類のＰＮＤに広く適用可能であることに留意すべきである。それ故本願では、携帯ナビゲーションデバイスは、ルートプランニングおよびナビゲーションソフトウェアを実行する、携帯パーソナルコンピュータ（ＰＣ）、携帯電話、または携帯情報端末（ＰＤＡ）を（制限無く）含むことが意図されることになる。
【００３５】
上の条件を考慮して、図１は、ナビゲーションデバイスによって使用可能な、グローバル・ポジショニング・システム（ＧＰＳ）の例図を説明する。そのようなシステムは既知であり且つ様々な目的で使用される。一般に、ＧＰＳは、継続して位置、速度、時間、および場合によっては方向情報を無限のユーザに対して決定することが可能な、衛星無線に基づくナビゲーションシステムである。以前はＮＡＶＳＴＡＲとして知られるように、ＧＰＳは、非常に正確な軌道で地球を周回する複数の衛星を組み込む。これらの正確な軌道に基づいて、ＧＰＳ衛星はその所在地をあらゆる数の受信ユニットへ伝達し得る。
【００３６】
ＧＰＳシステムは、ＧＰＳデータを受信するように特に用意される、デバイスがＧＰＳ衛星信号を求めて無線周波数のスキャンを開始する時に実行される。ＧＰＳ衛星から無線信号を受信するとすぐに、デバイスは、複数の種々の従来の方法のうちの１つによってその衛星の正確な所在地を決定する。デバイスは、少なくとも３つの異なる衛星信号を取得するまで、大抵の場合、信号を求めてスキャンを継続するだろう（位置は通常決定されないが、他の三角測量技術を使用して２つの信号のみ用いて決定され得ることに留意すべきである）。幾何学的な三角測量を実行して、受信機は衛星に対する自身の２次元的位置を決定するために３つの既知の位置を利用する。これは、既知の方法で行われ得る。さらに、第４の衛星信号の取得は、受信デバイスが、既知の方法での同じ幾何学的計算によって、その３次元位置を計算することを許可するだろう。位置および速度のデータは、無限のユーザによって継続的な方式でリアルタイムにアップデートされ得る。
【００３７】
図１に示されるように、ＧＰＳシステムは一般に参照番号１００によって示される。複数の衛星１２０は、地球１２４についての軌道に乗っている。各衛星１２０の軌道は必ずしも他の英英１２０の軌道と同期している必要はなく、実際非同期であり得る。様々な衛星１２０からスペクトラム拡散ＧＰＳ衛星信号１６０を受信するＧＰＳ受信機１４０が示される。
【００３８】
各衛星１２０から継続して送信される、スペクトラム拡散信号１６０は、非常に正確な原始時計を用いて達せいされる非常に正確な周波数標準を利用する。ＧＰＳ受信機１４０は一般に、ＧＰＳ受信デバイス１４０がその２次元位置を三角測量によって計算するように、少なくとも３つの衛星１２０からスペクトラム拡散ＧＰＳ衛星信号１６０を取得することが当業者によって理解される。４つの衛星１２０全体から信号１６０を受信することに帰結する、追加の信号の取得は、ＧＰＳ受信デバイス１４０がその三次元位置を既知の方法で計算することを許可する。
【００３９】
図２は、既知の携帯ナビゲーションデバイスの電子的構成要素の、ブロック構成要素形式での例示的表現である。携帯ナビゲーションデバイス２００のブロック図は、携帯ナビゲーションデバイスの全ての構成要素を含まず、多くの構成要素の代表例であることが留意されるべきである。
【００４０】
携帯ナビゲーションデバイス２００は、入力デバイス２２０およびディスプレイスクリーン２４０と接続されたプロセッサ２１０を備える。入力デバイス２２０は、キーボードデバイス、音声入力デバイス、タッチパネル、および／または情報を入力するために利用されるあらゆる他の既知の入力デバイスを含み得、且つディスプレイスクリーン２４０は、例えばＬＣＤディスプレイ等のあらゆるタイプのディスプレイスクリーンを含み得る。
【００４１】
特に望ましい配置では、入力デバイス２２０およびディスプレイスクリーン２４０は、複数のディスプレイ選択のうちの１つを選択するためにまたは複数の仮想ボタンのうちの１つを起動するためにユーザがディスプレイスクリーン２４０の部分にタッチすることのみ必要であるような、タッチパッドまたはタッチスクリーン入力を含む、統合入力ディスプレイデバイスへ統合される。
【００４２】
携帯ナビゲーションデバイスは出力デバイス２６０、例えば可聴出力デバイス（例えばスピーカ）を含んでもよい。出力デバイス２６０は形態ナビゲーションデバイス２００のユーザに対して可聴情報を生成し得るので、同様に入力デバイス２４０が入力音声コマンドを受信するマイクロフォンおよびソフトウェアも含み得ることが理解されるべきである。
【００４３】
携帯ナビゲーションデバイス２００において、プロセッサ２１０は、接続２２５を介して入力デバイス２２０から入力情報を受信するように動作可能に接続され且つ設定され、且つ出力接続２４５を介して、情報をそこへ出力するためにディスプレイスクリーン２４０および出力デバイス２６０のうち少なくとも１つと動作可能に接続される。さらに、プロセッサ２１０は、接続２３５を介して動作可能にメモリリソース２３０と連結されており、且つ接続２７５を介して入力／出力（Ｉ／Ｏ）ポート２７０から／へ情報を受信／送信するようにさらに構成される。メモリリソース２３０は、例えばランダムアクセスメモリ（ＲＡＭ）等の揮発性メモリおよび、不揮発性メモリ例えばフラッシュメモリ等のデジタルメモリを備える。外部Ｉ／Ｏデバイス２８０は例えばイヤホン等の外部リスニングデバイスを含んでもよいが、これに限定されない。Ｉ／Ｏデバイス２８０との接続はさらに、例えばイヤホンまたはヘッドホンとの接続のためにおよび／または携帯電話との接続のために、例えばハンズフリー機能操作のためのおよび／または音声起動操作のためのカーステレオユニット等のあらゆる他の外部デバイスとの有線または無線接続であり得、携帯電話接続が、携帯ナビゲーションデバイス２００と例えばインターネットまたはあらゆる他のネットワークとの間でのデータ接続を確立するためにおよび／または例えばインターネットまたはいくつかの他のネットワークを介してサーバとの接続を確立するために使用されてもよい。
【００４４】
図２は、接続２５５を介したプロセッサ２１０とアンテナ／受信機２５０との間の動作可能な接続をさらに説明し、アンテナ／受信機２５０は例えばＧＰＳアンテナ／受信機であり得る。参照番号２５０で表されるアンテナおよび受信機は例として概略的に組み合わされているが、アンテナおよび受信機は分離して配置される構成要素であってもよく、アンテナは例えばＧＰＳパッチアンテナまたはヘリカルアンテナであってもよいことが理解されるだろう。
【００４５】
さらに、図２に示される電子的構成要素は、従来の方法で電力ソース（不図示）によって電力を供給されることが当業者によって理解されるだろう。当業者によって理解されるように、図２に示される構成要素の種々の形態が可能である。例えば、図２に示される構成要素は有線接続または無線接続および同様のものを介してお互い通信していてもよい。
【００４６】
さて図３を参照すると、携帯ナビゲーションデバイス２００は、（例えば既知のブルートゥース技術を介したデジタル接続等の）デジタル接続を確立する（携帯電話、ＰＤＡ、および／または携帯電話技術を有するあらゆるデバイス等の）移動デバイス（不図示）を介してサーバ３０２との「移動体」通信ネットワーク接続または電気通信ネットワーク接続を確立してもよい。その後、そのネットワークサービスプロバイダを介して、移動デバイスは、サーバ３０２との（例えばインターネットを介した）ネットワーク接続を確立し得る。そのようなものとして、「リアルタイムの」または少なくとも非常に「最新の」ゲートウェイに情報を提供するために、「移動体」ネットワーク接続が携帯ナビゲーションデバイス２００とサーバ３０２との間で確立される。
【００４７】
（サービスプロバイダを介した）移動デバイスとサーバ３０２等の別のデバイスとの間でネットワーク接続を確立することは、例えば（ワールドワイドウェブ等の）インターネットを使用して、既知の方法でなされ得る。このことは、例えばＴＣＰ／ＩＰ層プロトコルの使用を含み得る。移動デバイスはＣＤＭＡ，ＧＳＭ、ＷＡＮ等のあらゆる数の通信標準を利用し得る。
【００４８】
そのようなものとして、携帯電話または例えばナビゲーションデバイス２００内の携帯電話技術を介して、データ接続を介して達成されるインターネット接続が利用されてもよい。
【００４９】
この接続のために、サーバ３０２とナビゲーションデバイス２００との間でインターネット接続が確立される。これは、例えば携帯電話または他の移動デバイスおよびＧＰＲＳ（汎用パケット無線サービス）接続を介してなされ得る（ＧＰＲＳ接続はテレコムオペレータによって提供される移動デバイスのための高速データ接続であり、ＧＰＲＳはインターネットへ接続するための方法である）。
【００５０】
携帯ナビゲーションデバイス２００は、例えば既存のブルートゥース技術を介して、既知の方法で、移動デバイスとの、結局はインターネットおよびサーバ３０２とのデータ接続を完了し得、データプロトコルは例えばＧＳＲＭ、ＧＳＭ標準に対するデータプロトコル標準等のあらゆる数の標準を利用し得る。
【００５１】
携帯ナビゲーションデバイス２００は、（例えばアンテナを含み、または選択的に携帯ナビゲーションデバイス２００の内部アンテナを使用する）携帯ナビゲーションデバイス２００それ自体の内に自身の携帯電話技術を含んでもよい。携帯ナビゲーションデバイス２００内の携帯電話技術は、上で規定されたような内部構成要素を含み得、および／または必要な携帯電話技術および／または例えばアンテナを備えた、挿入可能カード（例えば、加入者識別モジュールすなわちＳＩＭカード）を含み得る。そのようなものとして、携帯ナビゲーションデバイス２００内の携帯電話技術は、例えばインターネットを介して、あらゆる移動デバイスのそれと類似の方法で、携帯ナビゲーションデバイス２００とサーバ３０２との間で同様にネットワーク接続を確立する。
【００５２】
ＧＰＲＳ電話の設定に対して、携帯電話モデル、製造業者等の絶え間なく変わるスペクトラムと正確に連動するためにブルートゥース使用可能な携帯ナビゲーションデバイスが使用されてもよく、モデル／製造業者に特有の設定は例えば携帯ナビゲーションデバイス２００に格納されてもよい。この情報のために格納されるデータはアップデートされ得る。
【００５３】
図３では、多数の異なる配置の何れかによって実行され得る汎用通信チャネル３１８を介してサーバ３０２と通信しているとしてナビゲーションデバイス２００が描写される。サーバ３０２および携帯ナビゲーションデバイス２００は、通信チャネル３１８を介した接続がサーバ３０２とナビゲーションデバイス２００との間で確立された時に通信し得る（そのような接続は移動デバイスを介したデータ接続、インターネットを介したパーソナルコンピュータを介した直接接続、等であり得ることに留意すべきである）。
【００５４】
サーバ３０２は、説明されていない他の構成要素に加えて、メモリ３０６と動作可能に接続された且つ有線または無線接続３１４を介して大容量データ記憶デバイスとさらに動作可能に接続されたプロセッサ３０４を含む。プロセッサ３０４は、通信チャネル３１８を介して携帯ナビゲーションデバイス２００へおよびから情報を送信および受信するために、送信機３０８および受信機３１０とさらに動作可能に接続される。送信および受信された信号は、データ信号、通信信号、および／または他の伝播信号を含んでもよい。送信機３０８および受信機３１０は、携帯ナビゲーションデバイス２００に対する通信設計で使用される通信要求よび通信技術に従って選択または設計されてもよい。さらに、送信機３０８および受信機３１０の機能は単一のトランシーバに組み合わされてもよいことが留意されるべきである。
【００５５】
サーバ３０２はさらに大容量記憶デバイス３１２と接続され（または大容量記憶デバイス３１２を含み）、大容量記憶デバイス３１２は、通信リンク３１４を介してサーバ３０２と結合されてもよいことに留意すべきである。大容量記憶デバイス３１２は、ナビゲーションデータおよびマップ情報の格納場所を含み、且つ同様にサーバ３０２と分離したデバイスであり得またはサーバ３０２に組み込まれ得る。
【００５６】
携帯ナビゲーションデバイス２００は、通信チャネル３１８を介してサーバ３０２と通信するように構成され、且つ通信チャネル３１８を介して信号および／またはデータを送信および受信するための送信機３２０および受信機３２２だけでなく、図２に関して先に説明されたような、プロセッサ、メモリ等を含み、これらのデバイスはサーバ３０２以外のデバイスと通信するためにさらに使用され得ることに留意すべきである。さらに、送信機３２０および受信機３２２は、携帯ナビゲーションデバイス２００に対する通信設計で使用される通信要求よび通信技術に従って選択または設計されてもよく、且つ送信機３２０および受信機３２２の機能は単一のトランシーバに組み合わされてもよいことが留意されるべきである。
【００５７】
サーバメモリ３０６に格納されたソフトウェアはプロセッサ３０４に命令を提供し且つサーバ３０２が携帯ナビゲーションデバイス２００にサービスを提供するのを許可する。
【００５８】
サーバ３０２によって提供されるあるサービスは、携帯ナビゲーションデバイス２００からの要求の処理および大容量記憶デバイス３１２から携帯ナビゲーションデバイス２００へのナビゲーションデータの送信を含む。サーバ３０２によって提供される別のサービスは、所望のアプリケーションに対する様々なアルゴリズムを使用してナビゲーションデータを処理すること、およびこれらの計算結果を携帯ナビゲーションデバイス２００へ送信することを含む。
【００５９】
通信チャネル３１８は、一般に携帯ナビゲーションデバイス２００とサーバ３０２とを接続する伝播媒体またはパスを表す。サーバ３０２および携帯ナビゲーションデバイス２００の両方は、通信チャネルを介してデータを送信する送信機および通信チャネルを介して送信されたデータを受信する受信機を含む。
【００６０】
１つの例示的な配置では、通信チャネル３１８は電話およびコンピュータネットワークを含む。さらにその上、通信チャネル３１８は、無線周波数、マイクロ波周波数、赤外線通信等の無線通信に適応可能であってもよい。さらに、通信チャネル３１８は衛星通信に適応し得る。
【００６１】
通信チャネル３１８を介して送信された通信信号は、所定の通信技術のために要求され望まれてもよい信号を含むが、これらに限定されない。信号は、例えば時分割多元接続（ＴＤＭＡ）、周波数分割多元接続（ＦＤＭＡ）、符号分割多元接続（ＣＤＭＡ）、グローバル・システム・フォー・モバイル・コミュニケーションズ（ＧＳＭ）等の携帯通信技術で使用されるように構成されてもよい。デジタル信号およびアナログ信号の両方が通信チャネル３１８を介して送信されてもよい。これらの信号は、通信技術に対して望ましいように、変調された信号であってもよく、暗号化された信号であってもよく、および／または圧縮された信号であってもよい。
【００６２】
サーバ３０２は、無線チャネルを介してナビゲーションデバイス２００によってアクセス可能な遠隔サーバを含む。サーバ３０２はローカルエリアネットワーク（ＬＡＮ）、ワイドエリアネットワーク（ＷＡＮ）、仮想プライベートネットワーク（ＶＰＮ）等に配置されるネットワークサーバを含んでもよい。
【００６３】
サーバ３０２はデスクトップまたはラップトップコンピュータ等のパーソナルコンピュータを含んでもよく、且つ通信チャネル３１８は、パーソナルコンピュータと携帯ナビゲーションデバイス２００との間で接続されたケーブルであってもよい。あるいは、サーバ３０２と携帯ナビゲーションデバイス２００との間でインターネット接続を確立するために、パーソナルコンピュータが、携帯ナビゲーションデバイス２００とサーバ３０２との間で接続されてもよい。あるいは、携帯電話または他の手持ちサイズのデバイスは、インターネットを介して携帯ナビゲーションデバイス２００をサーバ３０２へ接続するために、インターネットへの無線接続を確立してもよい。
【００６４】
携帯ナビゲーションデバイス２００は、自動的にまたはユーザが携帯ナビゲーションデバイス２００をサーバ３０２へ接続するとすぐに定期的にアップデートされてもよい、および／または、例えば無線移動接続デバイスおよびＴＣＰ／ＩＰ接続を介してサーバ３０２と携帯ナビゲーションデバイス２００との間で形成されている恒常的な接続または頻繁な接続に関して動的であってもよい、情報ダウンロードを介してサーバ３０２から情報を提供されてもよい。多くの動的計算のために、サーバ３０２におけるプロセッサ３０４は、処理ニーズの大部分を扱うために使用されてもよいが、しかしながら、携帯ナビゲーションデバイス２００のプロセッサ２１０は、しばしばサーバ３０２への接続とは独立して、多くの処理および計算も扱い得る。
【００６５】
図２で上述したように、携帯ナビゲーションデバイス２００は、プロセッサ２１０と、入力デバイス２２０と、ディスプレイスクリーン２４０とを含む。入力デバイス２２０およびディスプレイスクリーン２４０は、例えばタッパネルスクリーンを介して情報の入力（直接入力、メニュー選択等によって）および情報の出力の両方を可能にさせる統合入力およびディスプレイデバイスに統合される。そのようなスクリーンは、当業者によく知られているように、例えばタッチ入力ＬＣＤスクリーンであってもよい。さらに、携帯ナビゲーションデバイス２００は、例えば音声入力／出力デバイス等の、追加の入力デバイス２２０および／または追加の出力デバイス２４１も含み得る。
【００６６】
図４に示されるのは、本発明に従ったナビゲーションアセンブリ４００である。ナビゲーションアセンブリ４００は、例えば図２または３の何れかを参照して説明されたようなＰＮＤであってもよい携帯ナビゲーションデバイス４０１を備える。携帯ナビゲーションデバイス４０１は筐体４０２を備える。筐体の裏面４０３の一部は、図のように、スピーカポート４０５を定義するスピーカポート周辺部４０４を備える。スピーカポート周辺部４０４は、図のように筐体４０２の隣接部分へ傾いている。スピーカポート４０５に配置されているのはスピーカ４０６である。
【００６７】
ナビゲーションアセンブリ４００は、折り畳み可能な取り付け具４０７をさらに備える。折り畳み可能な取り付け具４０７は、コネクタアーム４０８および取り付けアーム４０９を備える。２つのアーム４０８、４０９は、枢着部４１０において枢動可能に接続される。取り付け具４０７は、取り付けアーム４０９に関して枢着部４１０についてコネクタアーム４０８を回転させることによって開形態と閉形態との間で折り畳まれてもよい。
【００６８】
図５に示されるのは、取り付けアーム４０９へ傾いたコネクタアーム４０８を有する開形態での取り付け具４０７である。スピーカポート周辺部４０４へ取り付けられたコネクタアーム４０８が示される。この実施形態では、コネクタアーム４０８はスピーカポート周辺部４０４への関与にスナップフィットされる。コネクタアーム４０８は、コネクタアーム４０８と携帯ナビゲーションデバイス４０１とをはっきりと引き離すことによって解除されてもよい。
【００６９】
開口４１１は、コネクタアーム４０８を介して広がる。コネクタアーム４０８がスピーカポート周辺部４０４と接続された時に、図のように開口４１１がスピーカポート４０５に横たわるように開口４１１が配置される。スピーカポート４０５内のスピーカ４０６によって生成される音は、それ故コネクタアーム４０８によって誤り伝えられることがない。
【００７０】
取り付けアーム４０９は、取り付け具４０７をフロントガラスまたはダッシュボード等の表面へ接続する取り付けアームコネクタ４１２を備える。この実施形態では、取り付けアームコネクタ４１２は、ディスクとそれが貼られる表面との間に真空を創り出すためにディスクの中心を上方へ引き出す弾性ディスクおよびカムメカニズムを備える。
【００７１】
図６に示されるのは、コネクタアーム４０８と隣接する取り付けアーム４０９を有する、閉形態での折り畳み可能な取り付け具４０７である。コネクタアーム４０８および取り付けアーム４０９は、閉形態において、取り付けアーム４０９が部分的に開口４１１内でコネクタアーム４０８に嵌合するように設計される。
【００７２】
取り付け具４０７のコネクタアーム４０８と接続された携帯ナビゲーションデバイス４０１有するナビゲーションアセンブリ４００は、使用していない時には、一般に図６に示されるように格納され、取り付け具４０７は閉形態に折り畳まれる。この形態では、ナビゲーションアセンブリ４００は、必要に応じてポケットまたはブリーフケースに容易に格納され得るように十分にコンパクトである。ナビゲーションアセンブリ４００を使用することが望まれる時には取り付け具４０７は開形態で折り畳まれていない。弾性ディスクは表面に対して押下され且つカムメカニズムはその場合回転され、ディスクを変形させ且つ取り付け具を所定の位置に固定する。ユーザがナビゲーションアセンブリ４００を使用し終わった時に、弾性ディスクはそれが取り付けられた表面から自由になるのでカムメカニズムは反対方向に回転される。取り付け具４０７はその場合閉形態へ戻って折り畳まれる。
【００７３】
上述の実施形態では、コネクタアーム４０８はスピーカポート周辺部４０４への関与へスナップフィットする。本発明の別の実施形態では、スピーカポート周辺部４０４への他のタイプの接続が可能である。例えば、コネクタアーム４０８およびＰＮＤ４０１は、コネクタアーム４０８およびスピーカポート周辺部４０４上の対応するネジ山によって螺合されてもよい。代替実施形態では、コネクタアーム４０８およびスピーカポート周辺部４０４の間に単一のインタフェース嵌合があってもよい。
【００７４】
本発明の代替実施形態では、取り付けアーム４０９は表面との接触へ押下される単一の弾性ディスクを備える。
【００７５】
図５を参照して説明される実施形態では、スピーカポート４０５は、携帯ナビゲーションデバイス４０１の筐体４０２における開口である。代替実施形態では、スピーカポート４０５は、メッシュを定義する複数の開口を備える。この実施形態では、スピーカ４０６はメッシュの後ろでＰＮＤ４０１内に含まれる。
【００７６】
本発明の代替実施形態では、コネクタアーム４０８は、スピーカポート４０５の周辺において一部のみに拡張する。スピーカポート４０５が円形であるなら、その場合コネクタアーム４０８は一定の曲率を有する。スピーカポート４０５が円形以外、例えば楕円形、正方形、矩形であるなら、その場合コネクタアーム４０８の曲率は、スピーカポート４０５の周辺の一部と合致するようにその長さに沿って変わる。それぞれの場合に、コネクタアーム４０８は、コネクタアーム４０８がスピーカポート周辺部４０４と接続された時に少なくともスピーカポート４０５の一部がコネクタアーム４０８によって覆われないような寸法にされる。
【図１】
2011512516.tif 000003
【図２】
2011512516.tif 000004
【図３】
2011512516.tif 000005
【図４】
2011512516.tif 000006
【図５】
2011512516.tif 000007
【図６】
2011512516.tif 000008
【国際調査報告】
2011512516.tif 000009
2011512516.tif 000010